(57)【要約】   上部キャップと下部キャップとからなり、裁取線にそって区分される本体；上部キャップの下部に形成された異種物質の貯蔵空間を有する受容部；下部キャップの下方に備えて、密閉部材及び使用時に異種物質が排出される空間を含む組立式密閉部；及び下部キャップの上方に形成された口部を含むことを特徴とする、容器に受容された基本物質と異なる異種物質を含む、容器の排出部に設けるキャップ受容装置を提供する。本発明のキャップ受容装置は使用上の便利性及び変更防止等の利点が有る。
2009519874.tif 000002
【特許請求の範囲】
【請求項１】
上部キャップと下部キャップとからなり、裁取線にそって区分される本体；上部キャップの下部に形成された異種物質の貯蔵空間を有する受容部；下部キャップの下方に備えて、密閉部材及び使用時に異種物質が排出される空間を含む組立式密閉部；及び下部キャップの上方に形成された口部を含むことを特徴とする、容器に受容された基本物質と異なる異種物質を含む、容器の排出部に設けるキャップ受容装置。
【請求項２】
前記本体に組み立てられた組立式密閉部は、下部キャップに形成された環枠により維持されることを特徴とする、請求項１記載のキャップ受容装置。
【請求項３】
延伸突起が前記密閉部材に上方に延長して形成されることを特徴とする、請求項１記載のキャップ受容装置。
【請求項４】
前記口部は、本体の上部キャップの内壁部に堅固に結合されることを特徴とする、請求項１記載のキャップ受容装置。
【請求項５】
前記口部と上部キャップの内壁部は各々の螺子山同士が結合されることを特徴とする、請求項４記載のキャップ受容装置。
【請求項６】
前記螺子山はスナップオンスクリューオフ方式に結合されることを特徴とする、請求項５記載のキャップ受容装置。
【請求項７】
前記密閉部材は組立式密閉部に組み立てられることを特徴とする、請求項１記載のキャップ受容装置。
【請求項８】
上部キャップと下部キャップを含む本体を含み；受容部を有する上部キャップが下部キャップに備えた口部の上方に結合され、下部キャップは受容部の貯蔵空間を密閉する密閉部材を含むことを特徴とする、容器に受容された基本物質と異なる異種物質を含む、容器の排出部に設けるキャップ受容装置。
【請求項９】
前記密閉部材は組立式密閉部に組み立てられることを特徴とする、請求項８記載のキャップ受容装置。
【請求項１０】
延伸突起が前記密閉部材に上方に延長して形成されることを特徴とする、請求項８記載のキャップ受容装置。
【発明の詳細な説明】
【技術分野】
【０００１】
本発明は容器を密閉するキャップ受容装置に関するもので、より詳しくは、例えば容器に受容された水または飲み物のような物質（成分）と異なる、例えば濃縮液または顆粒のような異なる異種物質（成分）を含む貯蔵空間を備えるキャップ受容装置に関するものである。
【０００２】
このようなキャップ受容装置は、医療、製薬、化粧品等の産業分野に多様に用いられることができる。
【背景技術】
【０００３】
一般に、容器内部の液体と、添加剤としての顆粒または濃縮液、または二酸化炭素、ビタミン粉末等のような異種物質を混合させるためには、容器には異種物質を貯蔵する為の別途の空間が必要である。
【０００４】
容器内で二つ以上の物質を混合するための構造は米国特許第９３７、０４９号明細書（1909年10月19日）を含んで５，０００以上が提案されている。
【０００５】
しかしながら、上記特許に開示された容器は、生産ラインの非効率性、使用の便利性などの問題点が有って大衆化されることができない。
【０００６】
容器の構造変更、または使用時の排出装置を開放する過度な力により招来されるエルボ現状の損傷の問題点なく、容器内に受容された一つ以上の物質を混合するために容器およびキャップ受容装置をより容易に取り扱うことに対する別の必要が有る。
【０００７】
最近、PCT/EP2002/004523（2002年01月17日）、そして日本国特願2001-00185428（2001年06月19日）は、他の構造を提示したが、商業的に成功しなかった。特に、日本特許出願に開示された構造は、開放部を形成する部位が容器内部に落下され、子供が飲み下す恐れがあるなどの問題点がある。このような問題点を解決すう為に、容器首から分離できない排出装置を開発したが、このような排出装置は既存の容器首には適用できなかった。
【０００８】
そして、内部に貯蔵の為の組立式受容部を有するキャップ受容装置が提案されたが、前記組立式受容部は単純に貯蔵空間を形成したり貯蔵空間を密閉させる機能にのみ局限された。
【発明の開示】
【発明が解決しようとする課題】
【０００９】
詳述した従来技術の問題点で、本発明の目的は、飲用性を向上させることができるキャップ受容装置を提供することにある。
【００１０】
本発明の他の目的は、貯蔵空間及び容器を同時に開放して、異種物質が容器内の基本物質に排出及び混合されることができるキャップ受容装置を提供することにある。
【００１１】
本発明のまた他の目的は、密閉性をを向上させる一体形の組立式密閉部を有するキャップ受容装置を提供することにある。
【課題を解決するための手段】
【００１２】
前記目的を実現するために、本発明による容器に受容された基本物質と異なる異種物質を含む、容器の排出部に設けるキャップ受容装置は、上部キャップと下部キャップとからなり、裁取線（cut-off line）にそって区分された本体；上部キャップの下部に形成された異種物質の貯蔵空間を有する受容部； 下部キャップの下方に備えて、密閉部材及び使用し異種物質が排出される空間を含む組立式密閉部；及び下部キャップの上方に形成された口部を含むことを特徴とする。
【発明の効果】
【００１３】
本発明のキャップ受容装置は、容器内に受容された水、飲み物または他の液体と混合される濃縮液または顆粒の二つの異種物質の混合が容易、かつ便利になる。そして、 医療、製薬、化粧品等の多様な産業分野で有効に用いられることができる。
【発明を実施するための最良の形態】
【００１４】
以下、本発明の好ましい実施形態を添付した図面を参照して説明する。以下の説明で、同一な引用番号は各々の異なる図面で同一な要素に使用されて、同一な引用番号の重複説明は省略された。
【００１５】
図１は本発明の望ましいの実施形態によりキャップ受容装置１を現す。本発明のキャップキャップ受容装置１は、例えば飲み物容器のような容器にスクリュー方式とかワンタッチ方式また接着などの方法で結合される。
【００１６】
図１のキャップ受容装置１は、本体１０と組立式密閉部２０を含む。
【００１７】
前記本体１０は、裁取線１３により連結される上部キャップ１１と下部キャップ１２が含み、前記上部キャップ１１の下部には異種物質を貯蔵する貯蔵空間１５が形成された受容部１４を含む。
【００１８】
前記組立式密閉部２０は、貯蔵空間１５を有する受容部１４の下端に備えて受容部１４を密閉する。前記組立式密閉部２０は、受容部１４の下端を密閉する密閉部材２１と、組立式密閉部２０を下部キャップ１２の結合部１６に結合させる環枠２２を含む。
【００１９】
また、前記環枠２２と密閉部材２１の間には少なくとも一つの穿孔された落下孔２３が形成される。
【００２０】
そして、前記環枠２２の上方には口部２４が形成され、前記口部２４は本体１０の上部キャップ１１の内壁部に形成された螺子山１７に結合される螺子山２５を有する。
【００２１】
前記密閉部材２１の一つの上方には一定な長さで突出された延伸突起２６を形成する。
【００２２】
前記延伸突起２６は、受容部の落下孔が開放されて貯蔵空間１５の異種物質を掻き回す役割をする。
【００２３】
使用時に、上部キャップ１１を開放すると、上部キャップ１１が裁取線１３を沿って下部キャップ１２から破壊されながら、上部キャップ１１が上向される。
【００２４】
この時、受容部１４の下端は密閉部材２１から外れて、続いて貯蔵空間１５の異種物質は容器内部に排出される。
【００２５】
前記上部キャップ１１と下部キャップ１２は、裁取線１３により容易に分離され、裁取線１３は螺子山１７、２５により引っ張るように容易に開放されることができる。しかし、他の従来の開放方法も使用されることができる。
【００２６】
望ましくは、各々の螺子山を細くして押し閉めて回転して開放するスナップオンスクリューオフ方式を用いることが良い。
【００２７】
前記組立式密閉部２０は、下部キャップ１２によって容器に緊密に固定される。
【００２８】
前記下部キャップ１２は、容器にワンタッチ方式に結合されたり、または紙パック、或いはパウチ容器に付着する方式に結合されることができる。
【００２９】
また、密閉部材２１は組立式密閉部２０に別に組み立てられることができる。
【００３０】
図２は本発明の他の実施形態を現す。この実施形態では、上部キャップ２１１と下部キャップ２１２は分離されるように形成され、口部２１８は下部キャップ２１２の上方に形成された。
【００３１】
貯蔵空間２１５を有する受容部２１４は上部キャップ２１１の下部に形成された。
【００３２】
使用時、上部キャップ２１１を回転すると、組立式密閉部２０の密閉部材２１が受容部２１４からを外れながら形成された落下孔２３を通じて、貯蔵空間２１５の異種物質がを容器内部に排出されて容器内の基本物質と混合される。
【００３３】
この実施形態では、延伸突起２６を密閉部材２１に形成することができ、また密閉部材２１を別に組立させることができる。
【００３４】
また、密閉部材２１は容器内部に分離されるようにすることもできる。
【００３５】
前記の下部キャップ１２、２１２は容器に固定されたる構成することができる。
【産業上の利用可能性】
【００３６】
本発明は濃縮液と水、また濃縮液と一般の飲み物、また顆粒と水、また粉末と水などを効果的に混合するための受容装置の構造に関し、異種物資の混合性を向上させようとする医療、製薬、化粧品、産業用などに用いられることができる。
【図面の簡単な説明】
【００３７】
【図１】本発明の第一実施形態によるキャップ受容装置の縦断面図である。
【図２】本発明の他の実施形態によるキャップ受容装置の縦断面図である。
【図１】
2009519874.tif 000003
【図２】
2009519874.tif 000004
【国際調査報告】
2009519874.tif 000005
2009519874.tif 000006